(57)【要約】【課題】外周面の表面積を増大させることによって放熱性を向上させたノズルカバーと、このノズルカバーを利用したガス切断火口並びにガス切断トーチを提供する。【解決手段】カバーＡは、内部に切断酸素を噴出するノズル１０を挿入する孔１を有し、外周面に複数の凹凸からなる凹凸部５を有している。火口Ｂは、中心に配置された切断酸素噴射孔と、前記切断酸素噴射孔を囲んで配置された予熱ガス噴射溝と、を有するノズル１０をカバーＡの内部に形成された孔１に挿入して構成する。トーチＣは、外周面に於ける端部に配置された雄ねじ部７を有するカバーＡを有し、該カバーＡをトーチ本体２０の端部に配置された雌ねじ部２４に締結して構成する。【選択図】    図１
2018058075.tif 000002
【特許請求の範囲】
【請求項１】
内部に切断酸素を噴出するノズルを挿入する孔を有するノズルカバーであって、
外周面に複数の凹凸からなる凹凸部を有していることを特徴とするノズルカバー。
【請求項２】
前記外周面は、
内部に形成された孔に挿入されたノズルから切断酸素を噴出する端部側に向けて径が小さくなるテーパ部と、
前記テーパ部から他方の端部側に配置された複数の凹凸からなる凹凸部と、を有することを特徴とする請求項１に記載したノズルカバー。
【請求項３】
前記凹凸部に配置された複数の凹凸は隔壁を介して前記テーパ部と接続していることを特徴とする請求項２に記載したノズルカバー。
【請求項４】
中心に配置された切断酸素噴射孔と、前記切断酸素噴射孔を囲んで配置された予熱ガス噴射溝と、を有するノズルを請求項１乃至３の何れかに記載されたノズルカバーの内部に形成された孔に挿入して構成したことを特徴とするガス切断火口。
【請求項５】
外周面に於ける他方側の端部に配置された雄ねじ部を有する請求項１乃至３の何れかに記載されたノズルカバーを有し、
前記ノズルカバーをトーチ本体の端部に配置された雌ねじ部に締結して構成したことを特徴とするガス切断トーチ。
【発明の詳細な説明】
【技術分野】
【０００１】
本発明は、外周面の表面積を増大させることによって放熱性を向上させたノズルカバーと、このノズルカバーを利用したガス切断火口並びにガス切断トーチに関するものである。
【背景技術】
【０００２】
ガス切断は、ガス切断火口から燃料ガスと予熱酸素を混合させて燃焼させた予熱炎を噴射して鋼板等の被切断材を予熱し、充分に予熱された被切断材に切断酸素を噴射して母材を燃焼させると共に噴射エネルギーによって溶融母材や酸化生成物を排除することで行われる。そして、ガス切断を継続しつつ、ガス切断火口を目的の方向に走行させることで、被切断材を目的の形状に切断することが可能である。
【０００３】
燃料ガスとしては、アセチレンガス、液化石油ガス、天然ガス、エチレンガス、水素ガスなどがあり、夫々の燃料ガスに対応させたガス切断火口が提供されている。例えば、燃料ガスとしてアセチレンガスを用いるガス切断火口は、中心に形成された切断酸素噴射孔と、この切断酸素噴射孔の周囲に形成された予熱ガス噴射孔とが一本の材に配置されて構成されている。
【０００４】
燃料ガスとして液化石油ガス、天然ガス、エチレンガス、水素ガスから選択されたガスを用いるガス切断火口は、中心に切断酸素噴射孔が形成され外周に予熱ガスを通過させるためのスリットが形成されたノズルと、ノズルを挿入するカバーと、によって構成されている。このようなガス切断火口では、カバーにノズルを挿入したとき、カバーの内周面とノズルの外周面の間に空間が形成され、燃料ガスと予熱酸素とが混合した予熱ガスはこの空間を通ってスリットから噴射される。
【０００５】
特に、ガス切断火口を用いて被切断材に対する穴明け加工であるピアシングを行う場合、穴が貫通するまでの間、溶融した母材や酸化生成物からなるスパッタがガス切断火口側に吹き上がり、温度が上昇しているガス切断火口に付着してしまうという問題がある。このスパッタの付着を防止するために、ガス切断火口の被切断材からの高さをガス切断を行う際の高さよりも数倍高く保持してピアシングを行うのが一般的である。
【発明の概要】
【発明が解決しようとする課題】
【０００６】
ガス切断火口を用いて鋼板に対してピアシングを行う際に、該ガス切断火口を被切断材から上方に離隔させた状態とするが、この場合、予熱炎による被切断材に対する予熱効率が低下し、予熱時間が増加することに伴ってピアシングに要する時間がかかるという問題がある。
【０００７】
また、ガス切断火口を通常の切断時に於ける被切断材からの高さよりも高い位置に保持しているため、ピアシングが終了した後、ガス切断火口を鋼板に接近させる操作が必要となる。この操作を単純にガス切断火口を被切断材に接近させることで行った場合、穴の周囲の母材の温度が低下して連続的なガス切断が不能になる。このため、ガス切断火口をピアシング時の高さからガス切断時の高さまで移行する際には、ガス切断火口を走行させて被切断材に対するガス切断を継続させることが必要となる。従って、被切断材に対する余分な切断を行っていることとなり、歩留りが低下するという問題が生じる。
【０００８】
本発明の目的は、外周面の表面積を増大させることによって放熱性を向上させたノズルカバーと、このノズルカバーを利用したガス切断火口並びにガス切断トーチを提供することにある。
【課題を解決するための手段】
【０００９】
上記課題を解決するために本発明に係る代表的なノズルカバーは、内部に切断酸素を噴出するノズルを挿入する孔を有するノズルカバーであって、外周面に複数の凹凸からなる凹凸部を有しているものである。
【００１０】
また、本発明に係るガス切断火口は、中心に配置された切断酸素噴射孔と、前記切断酸素噴射孔を囲んで配置された予熱ガス噴射溝と、を有するノズルを上記ノズルカバーの内部に形成された孔に挿入して構成したものである。
【００１１】
また、本発明に係るガス切断トーチは、外周面に於ける他方側の端部に配置された雄ねじ部を有する上記ノズルカバーを有し、前記ノズルカバーをトーチ本体の端部に配置された雌ねじ部に締結して構成したものである。
【発明の効果】
【００１２】
本発明に係るノズルカバー（以下単に「カバー」という）では、外周面に複数の凹凸からなる凹凸部を有するので、外周面の表面積を増加させることができる。このため、放熱面積が増加し、ガス切断時の温度上昇を軽減することができる。
【００１３】
この結果、特にピアシング時に於けるスパッタの付着が軽減され、被切断材に対して従来よりも接近させた状態で予熱、ピアシングを行うことができる。このため、予熱時間の短縮化をはかると共に、カバーを従来よりも清浄に保持することができる。
【００１４】
また、本発明に係るガス切断火口（以下単に「火口」という）では、カバーに、切断酸素噴射孔と予熱ガス噴射溝を有するノズルを挿入したとき、カバーの内周面とノズルの外周面とによって予熱ガス噴射溝に通じる空間が形成される。このため、カバーは、放熱面積の増加に伴う温度上昇の軽減に加えて、ガス切断時に前記空間を流れる予熱ガスによって冷却されることとなり、より温度上昇を軽減することができる。
【００１５】
また、本発明に係るガス切断トーチ（以下単に「トーチ」という）では、端部に雄ねじ部を有するカバーをトーチ本体の端部に形成された雌ねじ部に締結して構成されている。このため、カバーを充分に太くすることが可能となり、外周面の表面積を大きくすることができ、より温度上昇を軽減することができる。
【図面の簡単な説明】
【００１６】
【図１】カバーの構成を説明する図である。
【図２】カバーの構成を説明する断面図である。
【図３】カバーとノズルを組み合わせた火口の構成を説明する展開図である。
【図４】カバーとトーチ本体を組み合わせたトーチの構成を説明する図である。
【図５】トーチとカバーとノズルを組み合わせた状態を説明する図である。
【図６】カバーの他の例を説明する図である。
【発明を実施するための形態】
【００１７】
以下、本発明に係るカバー、このカバーを利用した火口、このカバーを利用したトーチについて説明する。本発明に係るカバーは、外周面に複数の凹凸からなる凹凸部を有することで、外周面の表面積を増加させた放熱面としている。また、内部には切断酸素を噴射するノズルを挿入する孔が形成されており、該孔にノズルを挿入することで火口としての機能を発揮することが可能である。更に、端部にトーチ本体の雌ねじに螺合する雄ねじ部を有することで、ノズルをトーチ本体に取り付けるナットして機能させてトーチを構成することが可能となる。
【００１８】
カバーの寸法は限定するものではなく、液化石油ガス（ＬＰＧ）、天然ガス、エチレンガス、水素ガス等（以下代表して「ＬＰＧ」という）を燃料ガスとする切断火口の火口カバーと同等の形状と寸法であって良い。しかし、より効果的な放熱を実現するには、長さは前記火口カバーと同等で、外径を前記火口カバーよりも充分に大きくすることが好ましい。
【００１９】
カバーの外周面に形成された凹凸部は凹凸の形状を限定するものではない。例えば、カバーの長手方向に複数の溝と複数の突起を交互に形成して凹凸部を形成することが可能であり、また外周面の円周方向に複数の溝と複数の突起を交互に形成して構成しても良い。このような凹凸は、機械加工によって溝を切削することで形成することが可能であり、また転造加工によって形成することも可能である。
【００２０】
従って、凹凸の断面形状は、連続した直線からなる三角形状、四角形状、台形状、梯形状、或いは連続した曲線からなる波型状等の形状の中から、選択された形状を有することとなる。このように、カバーに複数の凹凸が形成されることで外周面の面積が増加し、この結果、放熱面積が増加することとなり、カバーの温度上昇を軽減することが可能となる。
【００２１】
カバーは、ガス切断作業を行う際に予熱炎を確認したり、噴射された切断酸素の気流を確認したりする作業を円滑に行うために、切断酸素を噴出する端部（以下「先端部」という）側が先細状に形成されることが好ましい。このため、カバーには、先端部側に先細状のテーパ部が形成されており、このテーパ部に連続して他方の端部（以下「トーチ本体側端部」という）側に凹凸部が形成されている。
【００２２】
カバーの先端部に先細状のテーパ部が形成されることによって、凹凸部に長手方向に形成された溝を有する凹凸は、該溝の先端部側がテーパ部に開放されることになる。また、凹凸部を構成する溝は必ずしも先端部側に開放した形状である必要はなく、隔壁を介してテーパ部と接続していても良い。
【００２３】
凹凸部を構成する溝がテーパ部に開放している場合、凹凸を形成するための加工が容易である。また、溝が隔壁を介してテーパ部と接続している場合、ピアシング作業時にスパッタやノロが噴き上げた場合でも、これらが溝に付着する虞が少なくなる。
【００２４】
以下、本実施例に係るカバーＡについて図１、図２を用いて説明する。本実施例に係るカバーＡは、ガス切断に通常利用される火口カバー（図示せず）の外径よりも充分に大きい外径を有している。そして、ノズルと組み合わせることによって火口Ｂとしての機能を発揮することが可能であり、またトーチ本体と組み合わせることでトーチＣとしての機能を発揮させることが可能である。
【００２５】
図１、２に示すように、カバーＡの内部には、切断酸素を噴出するノズル（図３参照）を挿入する孔１と、該孔１に連続して予熱ガスの流通路となる流通孔２が形成されている。
【００２６】
カバーＡの外周面には、複数の四角形状の溝５ａと複数の凸部５ｂからなる凹凸部５が形成されている。溝５ａの条数や幅寸法は特に限定するものではなく、組み合わせるべきノズルの仕様に対応させて適宜設定することが好ましい。
【００２７】
また、カバーＡの先端部側には、先端部に向けて径が小さくなる先細テーパ状のテーパ部６が形成されており、該テーパ部６が凹凸部５と連続している。テーパ部６のテーパ角度は特に限定するものではなく、凹凸部５の外径や先端部の外径に対応させて適宜設定することが好ましい。
【００２８】
本実施例では、各溝５ａのテーパ部６側の端部は該テーパ部６で開放している。
【００２９】
カバーＡのテーパ部６とは反対側の端部には、後述するトーチ本体２０に形成された雌ねじ２４に螺合する雄ねじ７ａと逃げ部７ｂからなる雄ねじ部７が形成されている。また、雄ねじ部７の端面８は、後述する火口Ｂを構成したとき、ノズル１０のスピンドル１１を構成する分配部材１２の端面１２ｆと当接して該ノズル１０をトーチ本体２０に固定する機能を有する。
【００３０】
凹凸部５の雄ねじ部７側の端部であって、該雄ねじ部７から離隔した部位に平行に形成された二面取部９が形成されており、該二面取部９にスパナを掛けることで、カバーＡをトーチ本体に対し締結することが可能である。
【００３１】
上記の如く構成されたカバーＡでは、凹凸部５に於ける溝５ａと凸部５ｂとで構成された側壁部分の表面積が増加する。そして、カバーＡの表面積が増加することによって、ガス切断を行う際に予熱炎による輻射熱や溶融した母材及び酸化生成物による輻射熱を受ける面積も増加することとなる。しかし、輻射熱の影響を大きく受けるのは主としてテーパ部６の表面であり、凹凸部５の表面は放熱面としての機能を発揮し、放熱効果を向上することが可能である。
【００３２】
カバーＡの凹凸部５に於ける表面積の増加に伴って放熱効果が向上し、この結果、カバーＡの温度の低減をはかることが可能となる。このため、被切断材に対するガス切断に伴って、或いは被切断材に対するピアシングに伴って生じたスパッタがカバーＡに付着しても、このスパッタが強固に融着する虞が減少する。
【００３３】
また、カバーＡの外形を通常のガス切断火口を構成する火口カバーの外径よりも大きくすることによって、カバーＡの肉厚を大きくすることが可能となる。この結果、カバーＡの熱容量が大きくなって輻射熱による温度上昇をより軽減することが可能となる。
【００３４】
次に、本実施例に係る上記カバーＡを用いた火口Ｂの構成について図３により説明する。火口Ｂは、カバーＡと、該カバーＡの孔１に挿入されたノズル１０との組み合わせによって構成されている。
【００３５】
ノズル１０は、スピンドル１１と分配部材１２とによって構成され、スピンドル１１を分配部材１２に締結することで一体化されている。そして、スピンドル１１の先端１１ａをカバーＡの内部に形成された孔１に挿入することで、該カバーＡとノズル１０とによって火口Ｂを構成している。
【００３６】
スピンドル１１は、中心に図示しない切断酸素噴出孔が配置され、外周面の先端１１ａ側に燃料ガスと予熱酸素との混合ガスからなる予熱ガスの噴射溝となる複数のスリット１１ｂが形成されている。また、スピンドル１１の後端１１ｃには雄ねじが形成されており、この雄ねじを介して分配部材１２に締結されている。
【００３７】
スピンドル１１に形成された切断酸素噴出孔は、切断すべき被切断材の厚さに対応して直径が設定されている。また、スリット１１ｂの幅寸法、深さ寸法及び数は、切断すべき被切断材の厚さ、被切断材の表面性状、或いは燃料ガスの種類等の条件に対応させて設定されている。
【００３８】
分配部材１２は、予め設定された角度を有するテーパ状に形成された分配部１２ａを有しており、該分配部１２ａにはシート１２ｂ、１２ｃ、１２ｄが形成されている。分配部材１２の中心には長手方向（中心軸方向）に貫通して切断酸素が供給される孔が形成されており、この孔の先端側１２ｅ（図３に於ける右の端部側）にはスピンドル１１を締結する雌ねじが形成されている。
【００３９】
シート１２ｂとシート１２ｃの間には予熱酸素が供給される複数の孔が形成されており、シート１２ｃとシート１２ｄの間も燃料ガスが供給される複数の孔が形成されている。また、分配部材１２の内部には予熱酸素が供給される孔と燃料ガスが供給される孔が交差したガス混合部が形成され、供給された予熱酸素と燃料ガスは該ガス混合部で混合ガスとなり、先端側１２ｅの端面から噴出してスピンドル１１の外周面に供給される。
【００４０】
分配部１２ａのスピンドル１１側の端面１２ｆは、カバーＡの端面８が当接し、該カバーＡの雄ねじ７をトーチ本体２０の雌ねじ２４に締結する際の押圧力が作用する面となる。
【００４１】
カバーＡの孔１にノズル１０を挿入して構成した火口Ｂでは、図５に示すように、カバーＡの内周面と、スピンドル１１の外周面との間に混合ガスの流通路１３が構成される。従って、火口Ｂによって被切断材に対するガス切断を行っている間、カバーＡは流通路１３を流れる混合ガスによって冷却されることとなる。このため、カバーＡの外周面に形成された凹凸部５に於ける放熱面積の増加に伴って効率の良い冷却を行うことが可能となり、火口Ｂの温度の上昇を軽減することが可能となる。
【００４２】
尚、前述の実施例では、ノズル１０が分配部材１２で予熱酸素と燃料ガスを混合させるチップミキシング方式に構成されたものを利用したが、カバーとノズルとの間に混合ガスが流れる流通路が形成されるような方式の火口、例えばトーチミキシング火口であっても利用することが可能である。
【００４３】
次に、本実施例に係るカバーＡを用いたトーチＣの構成について図４により説明する。トーチＣは、カバーＡとトーチ本体２０を組み合わせることで構成されている。
【００４４】
トーチ本体２０は、通常用いられている中圧トーチをそのまま利用することが可能である。即ち、トーチ本体２０の一方側の端部に器頭２１が配置され、他方側の端部に分配部材２２が配置されている。器頭２１と分配部材２２は切断酸素配管２３、及び図示しない予熱酸素配管、燃料ガスを介して接続されている。
【００４５】
器頭２１はカバーＡを介してノズル１０取り付けたとき、このノズル１０に切断酸素、予熱酸素、燃料ガスを夫々独立して供給するものである。このため、トーチ本体２０の器頭２１の端部には雌ねじ２４が形成されている。そして、カバーＡに形成した雄ねじ７を締結し、或いは取り外すことが可能なように構成されている。
【００４６】
器頭２１の内面には、ノズル１０に設けた分配部材１２の分配部１２ａと同一のテーパからなるシート２５ａ、２５ｂ、２５ｃが形成されている。シート２５ａとシート２５ｂの間には溝２６ａが、シート２５ｂとシート２５ｃの間には溝２６ｂが形成されている。また、器頭２１の中心には穴２７が形成されており、該穴２７がシート２５ａに開口している。そして、穴２７に切断酸素配管２３が、溝２６ａに予熱酸素配管が、溝２６ｂに燃料ガス配管が、夫々接続されている。
【００４７】
分配部材２２には、図示しない切断酸素通路、予熱酸素通路、燃料ガス通路が夫々独立して形成されており、各通路にはニードル弁２８が配置されている。そして、各ニードル弁を個別に開閉操作することによって、各ガスの流量を調整し得るように構成されている。
【００４８】
上記の如く構成されたトーチＣは、カバーＡとトーチ本体２０との組み合わせによって構成されており、ノズル１０の仕様の制限を受けることがない。例えば薄板をガス切断するためのノズルであって切断酸素噴出孔の径が小さいノズル、或いは厚板をガス切断するためのノズルであって切断酸素噴出孔の径が大きいノズル、など、切断すべき被切断材の厚さに対応させて最適な径の切断酸素噴出孔を有するノズル１０を選択して使用することが可能である。
【００４９】
そして、図５に示すように、カバーＡの孔１にノズル１０を挿入して火口Ｂを構成し、カバーＡの雄ねじ７を器頭２１の雌ねじ２４に締結することで、トーチ本体２０に火口Ｂを取り付けることが可能である。このとき、ノズル１０の分配部材１２のシート１２ｂがトーチ本体２０の器頭２１に形成されたシート２５ａと、シート１２ｃがシート２５ｂと、シート１２ｄがシート２５ｃと夫々圧接して供給されたガスの漏洩を防ぐことが可能である。
【００５０】
従って、トーチ本体２０に設けた分配部材２２のニードル弁２８を開閉操作することで、予熱酸素、燃料ガスを火口Ｂに供給して混合ガスとして噴出することが可能である。そして、噴出した混合ガスを点火して予熱炎を形成し、この予熱炎によって被切断材を予熱することが可能である。被切断材が充分に予熱された後、切断酸素を供給して火口Ｂの切断酸素噴出孔から噴出することで、被切断材に対するピアシング及び切断を行うことが可能である。
【００５１】
被切断材に対して予熱を行っている間、カバーＡには予熱炎による輻射熱が作用する。また、被切断材を切断している間、カバーＡには予熱炎による輻射熱、溶融酸化物による輻射熱が作用し、更に、噴き上げたスパッタが付着する虞が生じる。しかし、カバーＡとノズル１０のスピンドル１１との間に形成された流通路１３を流れる混合ガスがカバーＡに対する冷却作用を発揮し、カバーＡの温度上昇を軽減する。このため、カバーＡに対するスパッタの付着を軽減することが可能となる。
【００５２】
従って、被切断材に対してピアシングを行う際に、カバーＡを接近させることが可能となり、予熱時間の短縮化をはかることが可能となる。
【００５３】
本件発明者は、長さを従来のＬＰＧを燃料ガスとする火口のキャップと同じ寸法とし、凹凸部５の外径を約３０ｍｍで、幅約２ｍｍ、深さ約２ｍｍの溝５ａを２４条形成したカバーＡを製作してピアシング実験を行った。実験はピアシングを行ったときのカバーＡに対するスパッタの付着が従来のガス切断火口と略同程度になるような高さとし、予熱時間を計測した。
【００５４】
被切断材の厚さが７０ｍｍの場合、従来のガス切断火口では高さを約５０ｍｍに設定して予熱を行い、ピアシングを開始するまでの予熱時間が約６０秒であった。前述のカバーを用いた場合、高さを６〜１０ｍｍまで接近させることが可能となり、予熱時間は２０秒〜３０秒であった。このときのカバーＡに対するスパッタの付着は、前記した従来のガス切断火口に対するスパッタの付着と略同程度である。
【００５５】
次に、カバーＡの他の例について図６により説明する。尚、図に於いて前述の実施例と同一の部分及び同一の機能を有する部分には同一の符号を付して説明を省略する。
【００５６】
図に示すように、凹凸部５とテーパ部６は、隔壁３０を介して接続されている。即ち、凹凸部５を構成する溝５ａのテーパ部６側の端部には、該凹凸部５を構成する外周面に開放した切り上がり部５ｃが形成されており、該切り上がり部５ｃとテーパ部６との間が隔壁３０として構成されている。
【００５７】
従って、凹凸部５の溝５ａはテーパ部６に開放されることなく、隔壁３０によって閉塞される。このため、凹凸部５は、隔壁３０によって被切断材に対する予熱時や切断時の輻射熱から保護されることとなり、より放熱性を向上させることが可能となる。更に、ピアシング時に飛散するスパッタも隔壁３０によって遮断することが可能となり、凹凸部５に付着するスパッタを減少させることが可能となる。
【００５８】
このため、従来よりもカバーＡを清浄な状態に保持し得るようになり、切断性能の保持や寿命の延長に寄与することが可能となる。
【産業上の利用可能性】
【００５９】
本発明に係るカバーＡは、チップミキシング方式のノズルに適用するのみならずトーチミキシング方式のノズルに利用することも可能である。
【符号の説明】
【００６０】
Ａ                カバー
Ｂ                火口
Ｃ                トーチ
１                孔
２                流通孔
５                凹凸部
５ａ              溝
５ｂ              凸部
５ｃ              切り上がり部
６                テーパ部
７                雄ねじ部
７ａ              雄ねじ
７ｂ              逃げ部
８                端面
９                二面取部
１０              ノズル
１１              スピンドル
１１ａ            先端
１１ｂ            スリット
１１ｃ            後端
１２              分配部材
１２ａ            分配部
１２ｂ〜１２ｄ    シート
１２ｅ            先端側
１２ｆ            端面
１３              流通路
２０              トーチ本体
２１              器頭
２２              分配部材
２３              切断酸素配管
２４              雌ねじ
２５ａ〜２５ｃ    シート
２６ａ、２６ｂ    溝
２７              穴
２８              ニードル弁
３０              隔壁
【図１】
2018058075.tif 000003
【図２】
2018058075.tif 000004
【図３】
2018058075.tif 000005
【図４】
2018058075.tif 000006
【図５】
2018058075.tif 000007
【図６】
2018058075.tif 000008